(57)【要約】【課題】ペットボトルに封入された炭酸飲料水から炭酸ガスが抜け出てしまうことを充分に抑制可能なペットボトル用キャップを提供する。【解決手段】炭酸飲料水が封入されたペットボトル２の開口部２１を密栓するペットボトル用キャップ１は、内部に呼気が注入されることによって、ペットボトル２の内壁面に密着するまで膨張するバルーン１２を備えている。これにより、炭酸飲料水から抜け出た炭酸ガスがペットボルトの外部へ抜けにくく、炭酸飲料水から炭酸ガスが抜け出てしまうことを充分に抑制することができる。【選択図】図１
2018177337.tif 000002
【特許請求の範囲】
【請求項１】
炭酸飲料水が封入されたペットボトル（２）の開口部（２１）を密栓するペットボトル用キャップであって、
内部に高圧流体が注入されることによって、前記ペットボトルの内壁面に密着するまで膨張する膨張部（１２）を備えることを特徴とするペットボトル用キャップ。
【請求項２】
さらに、前記膨張部の内部から前記高圧流体が流出してしまうことを防止する弁部（１４）を備えることを特徴とする請求項１に記載のペットボトル用キャップ。
【請求項３】
前記膨張部は、ゴム部材であることを特徴とする請求項１または２に記載のペットボトル用キャップ。
【発明の詳細な説明】
【技術分野】
【０００１】
本発明は、ペットボトルの開口部を密栓するペットボトル用キャップに関するもので、炭酸飲料水が封入されたペットボトルのキャップに用いて好適である。
【背景技術】
【０００２】
炭酸飲料水は、清涼感の高い飲み物として消費者の需要が高い。この種の炭酸飲料水は、５００ミリリットルから２リットル程度の比較的大容量のペットボトルに封入された状態で販売されているものが多い。このため、全ての炭酸飲料水を一時に飲み干すことができず、飲み残したものを附属のキャップで密栓した状態で、ペットボトル内に保存しておくことがある。
【０００３】
この際、ペットボトルに附属のキャップを用いて、人の手の力でペットボトルの開口部を密栓するだけでは、ペットボトルの開口部とキャップとの間に僅かな隙間が形成されてしまい、この隙間を介して炭酸ガスがペットボトルの外部へ漏れ出てしまう。その結果、時間経過とともに炭酸飲料水から炭酸ガスが抜け出てしまい、保存した炭酸飲料水を再び飲む際の清涼感が損なわれてしまう。
【０００４】
これに対して、特許文献１には、加圧ピストンポンプを内装するペットボトル用キャップが開示されている。より詳細には、特許文献１のペットボトル用キャップでは、内装された加圧ピストンポンプにてペットボトル内に大気を送り込み、ペットボトル内の内圧を上昇させる。これにより、炭酸飲料水に溶解している炭酸ガスが抜け出てしまうことを防止しようとしている。
【先行技術文献】
【特許文献】
【０００５】
【特許文献１】特開２０１５−１６４８６３号公報
【発明の概要】
【発明が解決しようとする課題】
【０００６】
しかし、特許文献１のペットボトル用キャップのように、単にペットボトル内の内圧を上昇させるだけでは、炭酸ガスが炭酸飲料水がペットボトルの外部に漏れ出てしまうことを充分に抑制することができない。その理由は、ペットボトル内の内圧を上昇させたとしても、ペットボトルの開口部とキャップとの間に僅かな隙間が形成されていると、この隙間から大気とともに炭酸ガスが漏れ出てしまうからである。
【０００７】
本発明は、上記点に鑑み、ペットボトルに封入された炭酸飲料水から炭酸ガスが抜け出てしまうことを充分に抑制可能なペットボトル用キャップを提供することを目的とする。
【課題を解決するための手段】
【０００８】
上記目的を達成するため、請求項１に記載の発明は、炭酸飲料水が封入されたペットボトル（２）の開口部（２１）を密栓するペットボトル用キャップであって、
内部に高圧流体が注入されることによって、前記ペットボトルの内壁面に密着するまで膨張する膨張部（１２）を備えるペットボトル用キャップである。
【０００９】
これによれば、膨張部がペットボトルの内壁面に密着するまで膨張するので、炭酸飲料水から抜け出た炭酸ガスがペットボトルの外部へ抜け出るためには、開口部とキャップとの隙間のみならず膨張部とペットボトルとの隙間を抜けなければならない。従って、炭酸ガスがペットボルトの外部へ抜けにくく、炭酸飲料水から炭酸ガスが抜け出てしまうことを充分に抑制することができる。
【００１０】
なお、この欄および特許請求の範囲で記載した各手段の括弧内の符号は、後述する実施形態に記載の具体的手段との対応関係を示す一例である。
【図面の簡単な説明】
【００１１】
【図１】一実施形態のペットボトル用キャップの断面図である。
【図２】一実施形態のペットボトル用キャップおよびペットボトルの断面図である。
【発明を実施するための形態】
【００１２】
以下、図面を用いて、本発明に係るペットボトル用キャップ１の一実施形態について説明する。ペットボトル用キャップ１は、ペットボトル２の開口部２１を閉塞するものである。
【００１３】
ペットボトル２は、樹脂（具体的には、ポリエチレンテレフタレート）で形成されて、内部に炭酸飲料水を封入するための空間を形成するものである。ペットボトル２は、円筒状に形成された開口部２１を有している。開口部２１は、ペットボトル２の内外を連通させる連通穴を形成する部位である。開口部２１の外周側には、雄ねじ部２１ａが形成されている。
【００１４】
ペットボトル用キャップ１は、キャップ部１１、バルーン１２、チューブ１３、バルブ１４を有している。キャップ部１１は、ポリプロピレン樹脂で形成された有底円筒状部材である。キャップ部１１は、一般的に販売されているペットボトル２に附属のキャップと同等の形状に形成されている。キャップ部１１の筒状部の内周壁面には、開口部２１の雄ねじ部２１ａに螺合される雌ネジ部１１ａが形成されている。
【００１５】
キャップ部１１の底面には、開口部２１を閉塞するように取り付けられた際に、開口部２１に当接する円環状のシール部材１１ｂが配置されている。シール部材１１ｂは、キャップ部１１とペットボトル２の開口部２１との隙間から炭酸飲料水が漏れることを抑制するものである。
【００１６】
バルーン１２は、高圧流体が注入されることによって、ペットボトル２の内部空間内で膨張する膨張部である。バルーン１２は、ゴム部材で形成されたゴム風船である。バルーン１２の素材は無臭のものが望ましい。本実施形態では、バルーン１２として、膨張した際にペットボトル２の内壁面に密着する程度の大きさのものが採用されている。
【００１７】
バルーン１２は、溶着等の手段によってキャップ部１１に取り付けられている。従って、キャップ部１１とバルーン１２との隙間から炭酸飲料水が漏れることはない。チューブ１３は、バルーン１２の内部へ呼気等の高圧流体を導く導入通路を形成する管状部材である。バルブ１４は、チューブ１３の導入通路を開閉するボールバルブ構造の弁部である。
【００１８】
次に、ペットボトル用キャップ１の使用態様を説明する。内部に飲み残しの炭酸飲料水が残っているペットボトル２の開口部２１からバルーン１２をペットボトル２内に収納する。バルーン１２をペットボトル２内に収納した状態で、キャップ部１１をペットボトル２の開口部２１に螺合する。
【００１９】
キャップ部１１をペットボトル２の開口部２１に螺合した後、図１に示すように、チューブ１３の導入通路を開くようにバルブ１４を操作する。さらに、チューブ１３を介してバルーン１２内に呼気を注入する。そして、ペットボトル２の内壁面に密着するまでバルーン１２を膨張させる。
【００２０】
バルーン１２がペットボトル２の内壁面に密着するまで膨張した後、図２に示すように、チューブ１３の導入通路を閉じるようにバルブ１４を操作する。この状態で、炭酸飲料水を保存する。
【００２１】
本実施形態のペットボトル用キャップ１によれば、バルーン１２がペットボトル２の内壁面に密着するまで膨張している。このため、炭酸飲料水から抜け出た炭酸ガスがペットボトル２の外部へ抜け出るためには、開口部２１とキャップ部１１との隙間のみならずバルーン１２とペットボトル２との隙間を抜けなければならない。従って、炭酸ガスがペットボトル２の外部へ抜けにくく、ペットボトル２内に残留させやすい。
【００２２】
すなわち、本実施形態のペットボトル用キャップ１によれば、内部に保存された炭酸飲料水から炭酸ガスが抜け出てしまうことを充分に抑制することができる。そして、本実施形態のペットボトル用キャップ１を用いて、炭酸飲料水をペットボトル２内に保存すれば、炭酸飲料水の清涼感が損なわれてしまうことを抑制することができる。
【００２３】
本発明は上述の実施形態に限定されることなく、本発明の趣旨を逸脱しない範囲内で、以下のように種々変形可能である。膨張部は、天然ゴム製のゴム風船で形成されたバルーン１２に限定されない。例えば、蛇腹構造によって膨張するシリコン製の筒状部材等を採用してもよい。膨張部に注入される高圧流体は、呼気に限定されない。例えば、気体に限定されず、水道水のような液体を採用してもよい。
【符号の説明】
【００２４】
１      ペットボトル用キャップ
２      ペットボトル
１１    キャップ部
１２    バルーン（膨張部）
２１    開口部
【図１】
2018177337.tif 000003
【図２】
2018177337.tif 000004